(57)【要約】【課題】画像転送を効率良く行う。【解決手段】転送キュー制御部１ｇは、スキャン・再構成制御部１ｂから転送要求された画像データを画像データベース１ｆから読み出し、その画像データに付随する情報のうちの読影予定日時を参照する。転送キュー制御部１ｇは、読影予定日時の早い順に、スキャン・再構成制御部１ｂから供給された転送要求をキューイングして転送キュー１ｈを作成する。転送キュー制御部１ｇは、転送キュー１ｈにキューイングされた転送要求に基づいて、画像データベース１ｆから対応する画像データを読み出し、画像転送部１ｉに供給する。【選択図】図２
2010165109.tif 000002
【特許請求の範囲】
【請求項１】
読影予定日時を含む検査予約情報に基づいてスキャンされ生成された画像を保存する保存手段と、
前記画像に付随する情報を取得し、その情報に含まれる前記読影予定日時に基づいて、前記画像の転送キューを制御する転送キュー制御手段と、
前記転送キュー制御手段による転送キューの制御の下、前記保存手段から前記画像を読み出して転送する転送手段と
を備えることを特徴とする医用画像診断装置。
【請求項２】
前記転送キュー制御手段は、検査を一意に特定する識別情報に基づいて、関連する画像群の転送キューの優先度を変更する
ことを特徴とする請求項１に記載の医用画像診断装置。
【請求項３】
前記画像の転送の緊急度を決定する一時読影制御手段をさらに備え、
前記転送キュー制御手段は、前記一時読影制御手段により決定された前記緊急度に基づいて、前記画像の転送キューの優先度を変更する
ことを特徴とする請求項１または２に記載の医用画像診断装置。
【請求項４】
前記画像の転送先からの画像取得要求を受信する画像取得要求受信手段をさらに備え、
前記転送キュー制御手段は、前記画像取得要求受信手段により受信された前記画像取得要求に基づいて、前記画像の転送キューの優先度を変更する
ことを特徴とする請求項１乃至３のいずれか一に記載の医用画像診断装置。
【発明の詳細な説明】
【技術分野】
【０００１】
本発明は、医用画像診断装置に関し、特に、画像の転送キューを制御する医用画像診断装置に関する。
【背景技術】
【０００２】
近年、Ｘ線診断装置、CT（computed tomography：コンピュータ断層撮影）装置、および超音波診断装置などの医用画像診断装置の技術が進歩している。これら医用画像診断装置で生成される画像数は膨大であり、生成された全ての画像が画像保管装置で長期保管されるとは限らない。一方、読影ワークステーションには、生成された膨大な数の画像を提示する必要がある。
【０００３】
特許文献１には、緊急扱いか否かの情報と検査終了時刻から画像データの配送順序を決定し、読影を必要とする複数の患者のリストを読影すべき順番に並ぶように自動的に作成する技術が提案されている。この技術によって、膨大な数の画像が生成されても、読影を効率良く行うことが可能となる。
【先行技術文献】
【特許文献】
【０００４】
【特許文献１】特開平７−１７５８７４号公報
【発明の概要】
【発明が解決しようとする課題】
【０００５】
一般に医用画像診断装置の画像転送には、FIFO（First In First Out）の転送キューが使用されており、画像生成順にキューイングされている。すなわち、生成された画像は、画像生成順に外部に転送されている。
【０００６】
従って、特許文献１の技術でも、生成された画像は、画像生成順に読影ワークステーションへ転送されており、画像転送の効率化は考慮されていなかった。
【０００７】
本発明はこのような状況に鑑みてなされたものであり、その目的は、読影日時に基づいて画像の転送キューを制御することで、効率良く画像を転送することが可能となる医用画像診断装置を提供することである。
【課題を解決するための手段】
【０００８】
請求項１記載の本発明の特徴は、医用画像診断装置において、読影予定日時を含む検査予約情報に基づいてスキャンされ生成された画像を保存する保存手段と、画像に付随する情報を取得し、その情報に含まれる読影予定日時に基づいて、画像の転送キューを制御する転送キュー制御手段と、転送キュー制御手段による転送キューの制御の下、保存手段から画像を読み出して転送する転送手段とを備える。
【発明の効果】
【０００９】
本発明によれば、読影日時に基づいて画像の転送キューを制御することで、効率良く画像転送することが可能となる。
【図面の簡単な説明】
【００１０】
【図１】本発明の第１の実施の形態に係る医用画像転送システムの構成例を示す図である。
【図２】第１の実施の形態における医用画像診断装置の機能構成例を示すブロック図である。
【図３】検査予約情報の例を示す図である。
【図４】画像データベースに記憶される情報の例を示す図である。
【図５】転送キューに形成される情報の例を示す図である。
【図６】第１の実施の形態における転送制御処理を説明するフローチャートである。
【図７】第１の実施の形態における他の転送制御処理を説明するフローチャートである。
【図８】第２の実施の形態における医用画像診断装置の機能構成例を示すブロック図である。
【図９】第２の実施の形態において転送キューに形成される情報の例を示す図である。
【図１０】第２の実施の形態における転送制御処理を説明するフローチャートである。
【図１１】第３の実施の形態において転送キューに形成される情報の例を示す図である。
【図１２】第３の実施の形態における転送制御処理を説明するフローチャートである。
【発明を実施するための形態】
【００１１】
（第１の実施の形態）
以下、本発明の第１の実施の形態について図面を参照して詳細に説明する。
【００１２】
図１は、本発明の第１の実施の形態に係る医用画像転送システムの構成例を示す図である。この医用画像転送システムにおいては、医用画像診断装置１、および読影ワークステーション２−１乃至２−３がネットワーク３を介して互いに接続されている。
【００１３】
医用画像診断装置１は、例えば、CT装置であり、プログラムとこのプログラム処理に必要となるデータを記憶する主記憶装置（例えばHDD（Hard Disc Drive））、プログラムやデータに基づいて演算処理を行なうCPU(Central Processing Unit)、ROM（Read Only Memory）、RAM（Random Access Memory）、各種操作を入力するための入力部、CPUの処理結果を表示する表示部、ネットワーク３と接続する通信部などから構成されている。
【００１４】
医用画像診断装置１は、撮影された生データから画像を再構成して保存する。医用画像診断装置１は、操作者によって登録された検査予約情報に含まれる読影予定日時に基づいて、その日時の早い順に保存された画像を読み出し、ネットワーク３を介して読影ワークステーション２−１乃至２−３に転送する。
【００１５】
読影ワークステーション２−１乃至２−３は、例えば、診療科毎に設けられており、ネットワーク３を介して転送されてきた画像データを取得して記憶する。読影ワークステーション２−１乃至２−３は、読影医によって所定の画像表示が指示されると、画像表示が指示された画像を読み出してモニタ（不図示）に表示させる。
【００１６】
ネットワーク３は、公衆回線網、ローカルエリアネットワーク、またはインターネットなどのネットワーク、デジタル衛星放送といった、有線または無線のいずれのものでもよい。
【００１７】
なお、読影ワークステーション２−１乃至２−３の数は任意であり、図１に示されるように３つに限られるものではない。以下において、読影ワークステーション２−１乃至２−３を個々に区別する必要が無い場合、単に、読影ワークステーション２と称する。
【００１８】
図２は、医用画像診断装置１の機能構成例を示すブロック図である。図２に示す機能部のうちの少なくとも一部は、医用画像診断装置１のCPUにより画像転送アプリケーションが実行されることによって実現される。図２に示すように、医用画像診断装置１は、検査予約部１ａ、スキャン・再構成制御部１ｂ、スキャン部１ｃ、生データ保存部１ｄ、再構成部１ｅ、画像データベース１ｆ、転送キュー制御部１ｇ、転送キュー１ｈ、および画像転送部１ｉとから構成される。
【００１９】
検査予約部１ａは、操作者によって入力された検査予約情報を、スキャン・再構成制御部１ｂに供給する。検査予約情報には、例えば、図３に示すように、検査UID（Unique ID）、検査予定日時、検査手技、診療科、主治医、および読影予定日時などの項目が含まれる。この検査予約情報は、例えば、DICOM（Digital Imaging and COmmunications in Medicine）規格に従うものとされ、検査毎またはシリーズ毎に管理される。なお、図３に示す検査予約情報の例では、検査を一意に特定する識別情報である検査UID毎（すなわち検査毎）に管理される。
【００２０】
スキャン・再構成制御部１ｂは、検査予約部１ａから供給された検査予約情報に含まれる検査手技の情報を読み出してスキャン部１ｃに供給し、スキャン動作を制御する。またスキャン・再構成制御部１ｂは、検査予約部１ａから供給された検査予約情報を再構成部１ｅに供給し、画像の再構成処理を制御する。さらにスキャン・再構成制御部１ｂは、再構成された画像の転送要求を転送キュー制御部１ｇに供給する。
【００２１】
スキャン部１ｃは、スキャン・再構成制御部１ｂの制御の下、検査手技の情報に応じて被検体の撮影（スキャン）を行い、得られた生データを生データ保存部１ｄに保存する。
【００２２】
再構成部１ｅは、スキャン・再構成制御部１ｂの制御の下、生データ保存部１ｄに保存されている生データを読み出し、検査予約情報に基づいて画像を再構成する。再構成された画像は、その画像に付随する情報とともに画像データベース１ｆに記憶される。
【００２３】
図４は、画像データベース１ｆに記憶される情報の例を示す図である。図４に示すように、画像データベース１ｆには、検査予約情報に含まれる検査UID、検査予定日時、検査手技、診療科、主治医、および読影予定日時の他、シリーズ情報や画像に関する情報が、画像データに付随する情報として、画像データとともに記憶される。この画像データベース１ｆは、画像を保存する保存手段としての役割を果たす。
【００２４】
転送キュー制御部１ｇは、スキャン・再構成制御部１ｂから転送要求された画像データを画像データベース１ｆから読み出し、その画像データに付随する情報のうちの読影予定日時を参照する。転送キュー制御部１ｇは、読影予定日時の早い順に、スキャン・再構成制御部１ｂから供給された転送要求をキューイングして転送キュー１ｈを作成する。この転送キュー制御部１ｇは、読影予定日時に基づいて、画像の転送キューを制御する転送キュー制御手段としての役割を果たす。
【００２５】
図５は、転送キュー１ｈに形成される情報の例を示す図である。図５に示すように、転送キュー１ｈには、検査UID、シリーズUID、転送先、および読影予定日時の項目が形成される。
【００２６】
図５の例の場合、転送キュー１ｈの先頭領域には、「検査UIDａ、シリーズUIDａ、転送先ａ、2008/12/25 12:00」の転送要求がキューイング（保管）され、転送キュー１ｈの第２番目の領域には、「検査UIDｂ、シリーズUIDｂ、転送先ｂ、2008/12/25 12:30」の転送要求がキューイングされ、転送キュー１ｈの第３番目の領域には、「検査UIDｃ、シリーズUIDｃ、転送先ｃ、2008/12/25 13:00」の転送要求がキューイングされている。
【００２７】
転送キュー制御部１ｇは、転送キュー１ｈにキューイングされた転送要求に基づいて、画像データベース１ｆから対応する画像データを読み出し、転送要求とともに画像転送部１ｉに供給する。
【００２８】
画像転送部１ｉは、転送キュー制御部１ｇから供給された画像データを、ネットワーク３を介して、転送要求に含まれる転送先に指定された読影ワークステーション２に転送する転送手段としての役割を果たす。
【００２９】
次に、図６のフローチャートを参照して、第１の実施の形態における転送キュー制御部１ｇが実行する転送制御処理について説明する。
【００３０】
ステップＳ１において、転送キュー制御部１ｇは、スキャン・再構成制御部１ｂにより転送要求された画像データを画像データベース１ｆから読み出し、その画像データに付随する情報のうちの読影予定日時を取得する。
【００３１】
ステップＳ２において、転送キュー制御部１ｇは、転送キュー１ｈの先頭の転送ジョブ（転送要求）の存在をチェックする。例えば、図５に示した転送キュー１ｈでは、先頭の領域に「検査UIDａ」に対応する転送ジョブが存在することが確認される。
【００３２】
ステップＳ３において、転送キュー制御部１ｇは、ステップＳ２の処理の結果、転送キュー１ｈに転送ジョブがあるか否かを判定し、転送キュー１ｈに転送ジョブがあると判定した場合、ステップＳ４に進む。
【００３３】
ステップＳ４において、転送キュー制御部１ｇは、ステップＳ３の処理で存在があると判定された転送ジョブから読影予定日時を取得する。例えば、図５に示した転送キュー１ｈの先頭の転送ジョブからは、「2008/12/25  12:00」が取得される。
【００３４】
ステップＳ５において、転送キュー制御部１ｇは、転送要求された画像データの読影予定日時（ステップＳ１の処理で得た読影予定日時）が、転送ジョブの読影予定日時（ステップＳ４の処理で得た読影予定日時）より早いか否かを判定し、転送要求された画像の読影予定日時が転送ジョブの読影予定日時より早いと判定した場合、ステップＳ６に進む。
【００３５】
ステップＳ６において、転送キュー制御部１ｇは、転送キュー１ｈで、いま注目している転送ジョブ（すなわち、図５の例の場合、「検査UIDａ」に対応する転送ジョブ）の前に、スキャン・再構成制御部１ｂから供給された転送要求を挿入する。
【００３６】
ステップＳ５において、転送要求された画像の読影予定日時が転送ジョブの読影予定日時より遅いと判定された場合、ステップＳ７に進み、転送キュー制御部１ｇは、転送キュー１ｈにある次の転送ジョブの存在をチェックする。例えば、図５に示した転送キュー１ｈでは、第２番目の領域がチェックされ、「検査UIDｂ」に対応する転送ジョブが存在することが確認される。
【００３７】
そして転送キュー制御部１ｇは、ステップＳ７の処理の後、ステップＳ３に戻り、上述した処理を繰り返し実行する。この処理を繰り返し実行することで、読影予定日時の早い順に転送要求が転送キュー１ｈにキューイングされる。
【００３８】
ステップＳ３において、転送キュー１ｈに転送ジョブがないと判定された場合、ステップＳ８に進み、転送キュー制御部１ｇは、転送キュー１ｈの最後に、スキャン・再構成制御部１ｂから供給された転送要求を挿入する。この場合は、転送キュー１ｈにキューイングされているどの転送ジョブの読影予定日時よりも、転送要求された画像データの読影予定日時が遅いため、転送キュー１ｈの最後にキューイングされることになる。
【００３９】
以上のように、転送キュー１ｈにキューイングされている転送ジョブの読影予定日時と、転送要求された画像データの読影予定日時を比較し、読影予定日時の早い順に転送要求が転送キュー１ｈにキューイングされるように優先度を変更することで、読影ワークステーション２に対して効率良く画像転送を行うことが可能となる。これにより、読影ワークステーション２では、効率的に読影を行うことが可能となる。
【００４０】
なお、再構成される画像は、必ずしも検査順に画像データベース１ｆに保存される訳ではない。例えば、スキャン部１ｃが、スキャンのスライス厚を厚くして（スライス間隔を広くして）撮影を行い、得られた全体枚数の少ない生データを生データ保存部１ｄに保存し、その後、スライス厚を薄くして（スライス間隔を狭くして）撮影を行い、得られた全体枚数の多い生データを生データ保存部１ｄに保存する。再構成部１ｅは、まず、生データ保存部１ｄに保存されている全体枚数の少ない生データを読み出して簡易画像を再構成し、その後、全体枚数の多い生データを読み出して詳細画像を再構成する。これにより、読影ワークステーション２では、簡易画像と詳細画像の双方を使用して読影が行われる。
【００４１】
このように、読影ワークステーション２で簡易画像と詳細画像の双方が使用される場合における、転送キュー制御部１ｇが実行する転送制御処理について、図７のフローチャートを参照して説明する。ただし、詳細画像の転送制御処理は、図６のフローチャートを用いて上述したようにして行われるものとし、ここでの処理は、スキャン・再構成制御部１ｂから簡易画像の転送要求が供給された場合に行われるものである。
【００４２】
ステップＳ１１において、転送キュー制御部１ｇは、スキャン・再構成制御部１ｂにより転送要求された画像データを画像データベース１ｆから読み出し、その画像データに付随する情報のうちの検査UIDを取得する。
【００４３】
ステップＳ１２において、転送キュー制御部１ｇは、転送キュー１ｈの先頭の転送ジョブの存在をチェックする。例えば、図５に示した転送キュー１ｈでは、先頭の領域に「検査UIDａ」に対応する転送ジョブが存在することが確認される。
【００４４】
ステップＳ１３において、転送キュー制御部１ｇは、ステップＳ１２の処理の結果、転送キュー１ｈに転送ジョブがあるか否かを判定し、転送キュー１ｈに転送ジョブがあると判定した場合、ステップＳ１４に進む。
【００４５】
ステップＳ１４において、転送キュー制御部１ｇは、ステップＳ１３の処理で存在があると判定された転送ジョブから検査UIDを取得する。例えば、図５に示した転送キュー１ｈの先頭の転送ジョブからは、「検査UIDａ」が取得される。
【００４６】
ステップＳ１５において、転送キュー制御部１ｇは、転送要求された画像データの検査UID（ステップＳ１１の処理で得た検査UID）が、転送ジョブの検査UID（ステップＳ１４の処理で得た検査UID）と同じであるか否かを判定し、転送要求された画像の検査UIDが転送ジョブの検査UIDと同じであると判定した場合、ステップＳ１６に進む。
【００４７】
ステップＳ１６において、転送キュー制御部１ｇは、転送キュー１ｈで、いま注目している転送ジョブ（すなわち、図５の例の場合、「検査UIDａ」に対応する転送ジョブ）の後に、スキャン・再構成制御部１ｂから供給された転送要求を挿入する。
【００４８】
ステップＳ１５において、転送要求された画像の検査UIDが転送ジョブの検査UIDと違うと判定された場合、ステップＳ１７に進み、転送キュー制御部１ｇは、転送キュー１ｈにある次の転送ジョブの存在をチェックする。例えば、図５に示した転送キュー１ｈでは、第２番目の領域がチェックされ、「検査UIDｂ」に対応する転送ジョブが存在することが確認される。
【００４９】
そして転送キュー制御部１ｇは、ステップＳ１７の処理の後、ステップＳ１３に戻り、上述した処理を繰り返し実行する。この処理を繰り返し実行することで、詳細画像に続いて簡易画像の転送要求が転送キュー１ｈにキューイングされる。
【００５０】
ステップＳ１３において、転送キュー１ｈに転送ジョブがないと判定された場合、ステップＳ１８に進み、転送キュー制御部１ｇは、転送キュー１ｈの最後に、スキャン・再構成制御部１ｂから供給された転送要求を挿入する。この場合は、転送キュー１ｈにキューイングされている転送ジョブには、転送要求された簡易画像と同じ検査UIDを持つ詳細画像がないため、転送キュー１ｈの最後にキューイングされることになる。
【００５１】
以上のように、転送キュー１ｈにキューイングされている転送ジョブの検査UIDと、転送要求された簡易画像データの検査UIDを比較し、同じ検査UIDの場合には、詳細画像データに続いて簡易画像データの転送要求が転送キュー１ｈにキューイングされるように優先度を変更することで、読影ワークステーション２に対して関連のある画像群を効率良く転送することが可能となる。これにより、読影ワークステーション２では、スムーズに関連のある画像群を選択することができ、読影開始までの時間を短縮することが可能となる。
【００５２】
なお、スライス厚を薄くした詳細画像とスライス厚を厚くした簡易画像を関連付けて転送制御するだけでなく、例えば、CT画像とPET（Positron Emission Tomography）画像を関連付けて転送制御することも可能である。
【００５３】
（第２の実施の形態）
次に、本発明における第２の実施の形態について説明する。なお、第２の実施の形態において、上述の第１の実施の形態において説明した構成要素と同一の構成要素には同一の符号を付してあり、同一の構成要素の説明は重複するので省略する。
【００５４】
第２の実施の形態では、画像転送前に一時読影が行われ、一時読影の結果に応じて緊急度が決定され、その緊急度に応じて転送制御を行う点に特徴を有する。
【００５５】
図８は、本発明の第２の実施の形態に係る医用画像診断装置１の機能構成例を示す図である。第１の実施の形態における医用画像診断装置１と異なるのは、新たに一時読影制御部１ｊが設けられていることである。
【００５６】
一時読影制御部１ｊは、読影医によって、画像データベース１ｆに保存されている画像データが一時読影され、その読影医により入力された一時読影結果に基づいて画像データの緊急度（画像転送の緊急性）を決定するか、あるいは、コンピュータ診断支援（CAD：Computer-Aided Diagnosis）による病変部位の自動検出結果や定量的な解析結果に基づいて画像データの緊急度を決定する一時読影制御手段としての機能を果たす。緊急度は、例えば、１乃至５といった数段階で定義され、数値が大きいほど緊急度が高いものとされる。一時読影制御部１ｊは、一時読影された画像の転送要求を決定した緊急度とともに、転送キュー制御部１ｇに供給する。
【００５７】
転送キュー制御部１ｇは、一時読影制御部１ｊから転送要求された画像データの緊急度を参照する。転送キュー制御部１ｇは、緊急度の高い順に、一時読影制御部１ｊから供給された転送要求をキューイングして転送キュー１ｈを作成する。
【００５８】
図９は、第２の実施の形態において転送キュー１ｈに形成される情報の例を示す図である。図９に示すように、転送キュー１ｈには、検査UID、シリーズUID、転送先、読影予定日時、および緊急度の項目が形成される。
【００５９】
図９の例の場合、転送キュー１ｈの先頭領域には、「検査UIDａ、シリーズUIDａ、転送先ａ、2008/12/25 12:00、緊急度５」の転送要求がキューイングされ、転送キュー１ｈの第２番目の領域には、「検査UIDｂ、シリーズUIDｂ、転送先ｂ、2008/12/25 12:30、緊急度４」の転送要求がキューイングされ、転送キュー１ｈの第３番目の領域には、「検査UIDｃ、シリーズUIDｃ、転送先ｃ、2008/12/25 13:00、緊急度３」の転送要求がキューイングされている。
【００６０】
次に、図１０のフローチャートを参照して、第２の実施の形態における転送キュー制御部１ｇが実行する転送制御処理について説明する。
【００６１】
ステップＳ２１において、転送キュー制御部１ｇは、一時読影制御部１ｊから供給された転送要求から画像データの緊急度を取得する。ステップＳ２２において、転送キュー制御部１ｇは、転送キュー１ｈの先頭の転送ジョブの存在をチェックする。例えば、図９に示した転送キュー１ｈでは、先頭の領域に「検査UIDａ」に対応する転送ジョブが存在することが確認される。
【００６２】
ステップＳ２３において、転送キュー制御部１ｇは、ステップＳ２２の処理の結果、転送キュー１ｈに転送ジョブがあるか否かを判定し、転送キュー１ｈに転送ジョブがあると判定した場合、ステップＳ２４に進む。
【００６３】
ステップＳ２４において、転送キュー制御部１ｇは、ステップＳ２３の処理で存在があると判定された転送ジョブから緊急度を取得する。例えば、図９に示した転送キュー１ｈの先頭の転送ジョブからは、「緊急度５」が取得される。
【００６４】
ステップＳ２５において、転送キュー制御部１ｇは、転送要求された画像データの緊急度（ステップＳ２１の処理で得た緊急度）が、転送ジョブの緊急度（ステップＳ２４の処理で得た緊急度）より高いか否かを判定し、転送要求された画像の緊急度が転送ジョブの緊急度より高いと判定した場合、ステップＳ２６に進む。
【００６５】
ステップＳ２６において、転送キュー制御部１ｇは、転送キュー１ｈで、いま注目している転送ジョブ（すなわち、図９の例の場合、「検査UIDａ」に対応する転送ジョブ）の前に、一時読影制御部１ｊから供給された転送要求を挿入する。
【００６６】
ステップＳ２５において、転送要求された画像の緊急度が転送ジョブの緊急度より低いと判定された場合、ステップＳ２７に進み、転送キュー制御部１ｇは、転送キュー１ｈにある次の転送ジョブの存在をチェックする。例えば、図９に示した転送キュー１ｈでは、第２番目の領域がチェックされ、「検査UIDｂ」に対応する転送ジョブが存在することが確認される。
【００６７】
そして転送キュー制御部１ｇは、ステップＳ２７の処理の後、ステップＳ２３に戻り、上述した処理を繰り返し実行する。この処理を繰り返し実行することで、緊急度の高い順に転送要求が転送キュー１ｈにキューイングされる。
【００６８】
ステップＳ２３において、転送キュー１ｈに転送ジョブがないと判定された場合、ステップＳ２８に進み、転送キュー制御部１ｇは、転送キュー１ｈの最後に、一時読影制御部１ｊから供給された転送要求を挿入する。この場合は、転送キュー１ｈにキューイングされているどの転送ジョブの緊急度よりも、転送要求された画像データの緊急度が低いため、転送キュー１ｈの最後にキューイングされることになる。
【００６９】
以上のように、転送キュー１ｈにキューイングされている転送ジョブの緊急度と、一時読影後に転送要求された画像データの緊急度を比較し、緊急度の高い順に転送要求が転送キュー１ｈにキューイングされるように優先度を変更することで、読影ワークステーション２に対して緊急度の高い画像をより早く転送することが可能となる。これにより、読影ワークステーション２では、緊急度の高い画像をより早く読影することができ、緊急性の高い患者に対する治療開始までの時間を短縮することが可能となる。
【００７０】
（第３の実施の形態）
次に、本発明における第３の実施の形態について説明する。なお、第３の実施の形態において、上述の第１および第２の実施の形態において説明した構成要素と同一の構成要素には同一の符号を付してあり、同一の構成要素の説明は重複するので省略する。
【００７１】
第３の実施の形態では、読影ワークステーション２に画像が転送されていないと判断された場合に、その画像の転送制御を優先的に行う点に特徴を有する。
【００７２】
図１１は、本発明の第３の実施の形態に係る医用画像診断装置１の機能構成例を示す図である。第１の実施の形態における医用画像診断装置１と異なるのは、新たに画像取得要求受信部１ｋが設けられていることである。また、読影ワークステーション２は、検査予約情報（図３）に基づいて作成された検査予約リスト（検査の進捗状況を管理するための表）を管理しており、医用画像診断装置１から転送される画像データに関する情報（検査予定日時や読影日時など）を把握している。従って、読影ワークステーション２では、検査予約リストに基づいて、医用画像診断装置１から画像転送される予定日時を管理するが、その予定日時に画像が転送されてこない場合には、ネットワーク３を介して医用画像診断装置１に対して画像取得要求を送信する。
【００７３】
画像取得要求受信部１ｋは、読影ワークステーション２からネットワーク３を介して送信されてきた画像取得要求を受信する画像取得要求受信手段としての機能を果たす。画像取得要求受信部１ｋは、受信した画像取得要求を転送キュー制御部１ｇに供給する。画像取得要求には、画像取得要求の送信元である読影ワークステーション２の識別情報が含まれる。
【００７４】
転送キュー制御部１ｇは、画像取得要求受信部１ｋから供給された画像取得要求に含まれる画像取得要求の送信元である読影ワークステーション２の識別情報を取得する。転送キュー制御部１ｇは、取得した識別情報と一致する転送ジョブが転送キュー１ｈにあるか否かをチェックし、画像取得要求の送信元である読影ワークステーション２の識別情報と一致する転送ジョブが転送キュー１ｈにあると判断した場合、その転送ジョブが早く実行されるように優先度を変更する。
【００７５】
次に、図１２のフローチャートを参照して、第３の実施の形態における転送キュー制御部１ｇが実行する転送制御処理について説明する。
【００７６】
ステップＳ３１において、転送キュー制御部１ｇは、画像取得要求受信部１ｋから供給された画像取得要求に含まれる画像取得要求の送信元である読影ワークステーション２の識別情報を取得する。
【００７７】
ステップＳ３２において、転送キュー制御部１ｇは、転送キュー１ｈの先頭の転送ジョブの存在をチェックする。例えば、図５に示した転送キュー１ｈでは、先頭の領域に「検査UIDａ」に対応する転送ジョブが存在することが確認される。
【００７８】
ステップＳ３３において、転送キュー制御部１ｇは、ステップＳ３２の処理の結果、転送キュー１ｈに転送ジョブがあるか否かを判定し、転送キュー１ｈに転送ジョブがあると判定した場合、ステップＳ３４に進む。
【００７９】
ステップＳ３４において、転送キュー制御部１ｇは、ステップＳ３３の処理で存在があると判定された転送ジョブから転送先の識別情報を取得する。例えば、図５に示した転送キュー１ｈの先頭の転送ジョブからは、「転送先ａ」が取得される。
【００８０】
ステップＳ３５において、転送キュー制御部１ｇは、画像取得要求の送信元である読影ワークステーション２の識別情報（ステップＳ３１の処理で得た識別情報）が、転送ジョブの転送先の識別情報（ステップＳ３４の処理で得た転送先の識別情報）と同じであるか否かを判定し、画像取得要求の送信元である読影ワークステーション２の識別情報が転送ジョブの転送先の識別情報と同じであると判定した場合、ステップＳ３６に進む。
【００８１】
ステップＳ３６において、転送キュー制御部１ｇは、転送キュー１ｈで、いま注目している転送ジョブを転送キュー１ｈの先頭に移動する。例えば、画像取得要求の送信元である読影ワークステーション２の識別情報が「転送先ｃ」であった場合、図５に示した転送キュー１ｈにおいて、「検査UIDｃ」に対応する転送ジョブが先頭に移動される。
【００８２】
ステップＳ３５において、画像取得要求の送信元である読影ワークステーション２の識別情報が、転送ジョブの転送先の識別情報と異なると判定された場合、ステップＳ３７に進み、転送キュー制御部１ｇは、転送キュー１ｈにある次の転送ジョブの存在をチェックする。例えば、図５に示した転送キュー１ｈでは、第２番目の領域がチェックされ、「検査UIDｂ」に対応する転送ジョブが存在することが確認される。
【００８３】
そして転送キュー制御部１ｇは、ステップＳ３７の処理の後、ステップＳ３３に戻り、上述した処理を繰り返し実行する。この処理を繰り返し実行することで、画像取得要求のあった転送要求が優先して転送キュー１ｈにキューイングされる。
【００８４】
ステップＳ３３において、転送キュー１ｈに転送ジョブがないと判定された場合、この転送キュー制御処理は終了される。この場合は、転送キュー１ｈにキューイングされている転送ジョブには、画像取得要求された送信元の識別情報と同じ転送先の識別情報を持つ画像データがないため（まだ画像データが画像データベース１ｆに保存されていないため）、転送要求の入れ替えは行われない。
【００８５】
以上のように、転送キュー１ｈにキューイングされている転送ジョブの転送先の識別情報と、画像取得要求された送信元の識別情報を比較し、同じ識別情報の場合には、画像取得要求の送信元の画像データの転送要求が優先して転送キュー１ｈにキューイングされるように変更することで、読影ワークステーション２に対して転送要求された画像をいち早く転送することが可能となる。これにより、読影ワークステーション２では、所望の画像を取得して効率的に読影を行うことが可能となる。
【００８６】
以上の第１乃至第３の実施の形態においては、スキャン部１ｃによってスキャンされ、再構成部１ｅによって再構成された画像データが画像データベース１ｆに保存されるものとして説明したが、画像データベース１ｆは、必ずしも医用画像診断装置１の内部にある必要はなく、画像保存のみを行う専用サーバであってもよい。
【００８７】
この発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【符号の説明】
【００８８】
１  医用画像診断装置
１ｆ  画像データベース
１ｇ  転送キュー制御部
１ｈ  転送キュー
１ｉ  画像転送部
１ｊ  一時読影制御部
１ｋ  画像取得要求受信部
２−１乃至２−３  読影ワークステーション
【図１】
2010165109.tif 000003
【図２】
2010165109.tif 000004
【図３】
2010165109.tif 000005
【図４】
2010165109.tif 000006
【図５】
2010165109.tif 000007
【図６】
2010165109.tif 000008
【図７】
2010165109.tif 000009
【図８】
2010165109.tif 000010
【図９】
2010165109.tif 000011
【図１０】
2010165109.tif 000012
【図１１】
2010165109.tif 000013
【図１２】
2010165109.tif 000014